(57)【要約】【課題】光源及び点灯装置を容易に交換可能な照明器具を提供する。【解決手段】照明器具Ａは、天井材１００に取り付けられる本体ブロック１と、本体ブロック１に対して着脱自在に取り付けられる光源ユニット２とを備える。本体ブロック１は、商用電源３からの給電線が接続される端子部１１と、少なくとも光源ユニット２に関わる情報を光源ユニット２から受け取って外部機器へ送信する通信部１２と、端子部１１及び通信部１２が収納される器具本体１３とを具備する。光源ユニット２は、光源２１と、端子部１１を介して供給される電力によって光源２１を点灯させる点灯装置２２と、少なくとも上記情報をする記憶部２３と、少なくとも上記情報を通信部１２へ出力する出力部２４とが一体に組み込まれている。【選択図】図１
2014120391.tif 000002
【特許請求の範囲】
【請求項１】
造営材に取り付けられる本体ブロックと、前記本体ブロックに対して着脱自在に取り付けられる光源ユニットとを備え、
前記本体ブロックは、商用電源からの給電線が接続される端子部と、少なくとも前記光源ユニットに関わる情報を前記光源ユニットから受け取って外部機器へ送信する通信部と、前記端子部及び前記通信部が収納される器具本体とを具備し、
前記光源ユニットは、光源と、前記端子部を介して供給される電力によって前記光源を点灯させる点灯装置と、少なくとも前記情報を記憶する記憶部と、少なくとも前記情報を前記通信部へ出力する出力部とが一体に組み込まれていることを特徴とする照明器具。
【請求項２】
前記光源ユニットは、前記本体ブロックに設けられた被係合部に係合する係合部が設けられていることを特徴とする請求項１記載の照明器具。
【請求項３】
前記情報は、前記光源ユニットの生産に関わる情報又は前記光源ユニットの性能に関わる情報の少なくとも一方であることを特徴とする請求項１又は２記載の照明器具。
【請求項４】
前記情報は、前記光源の累積点灯時間であることを特徴とする請求項１又は２記載の照明器具。
【発明の詳細な説明】
【技術分野】
【０００１】
本発明は、照明器具に関するものである。
【背景技術】
【０００２】
従来より、放電灯や点灯装置が寿命に達したことを報知する機能を備えた照明器具が提供されている（例えば特許文献１参照）。この照明器具は、放電灯と、放電灯を点灯させ且つ放電灯への供給電力を制御する点灯装置と、放電灯の点灯時間及び点灯装置の動作時間を計時する点灯時間タイマとを備える。そして、この照明器具では、上記点灯時間及び上記動作時間を随時メモリに記憶させており、メモリに蓄積した累積点灯時間又は累積動作時間が寿命時間に達したときに放電灯を不点にしたり、点滅させたりして、放電灯又は点灯装置が寿命に達したことを使用者に報知する。
【先行技術文献】
【特許文献】
【０００３】
【特許文献１】特開２００４−２５９５３３号公報
【発明の概要】
【発明が解決しようとする課題】
【０００４】
上述の特許文献１に示した照明器具では、点灯装置よりも先に放電灯が寿命に達するため、点灯装置はそのままで放電灯のみを交換すればよく、使用者による交換が可能であった。ところで近年では、発光ダイオード（ＬＥＤ）を光源とする照明器具も提供されているが、発光ダイオードは放電灯に比べてランプ寿命が長く、この場合には点灯装置が先に寿命に達することになるため、点灯装置の交換が必要であった。そして、点灯装置の交換は電気工事の有資格者が行わなければならず、資格を持っていない使用者は行うことができなかった。
【０００５】
本発明は上記問題点に鑑みて為されたものであり、その目的とするところは、光源及び点灯装置を容易に交換可能な照明器具を提供することにある。
【課題を解決するための手段】
【０００６】
本発明の照明器具は、造営材に取り付けられる本体ブロックと、本体ブロックに対して着脱自在に取り付けられる光源ユニットとを備える。本体ブロックは、商用電源からの給電線が接続される端子部と、少なくとも光源ユニットに関わる情報を光源ユニットから受け取って外部機器へ送信する通信部と、端子部及び通信部が収納される器具本体とを具備する。光源ユニットは、光源と、端子部を介して供給される電力によって光源を点灯させる点灯装置と、少なくとも上記情報を記憶する記憶部と、少なくとも上記情報を通信部へ出力する出力部とが一体に組み込まれている。
【０００７】
この照明器具において、光源ユニットは、本体ブロックに設けられた被係合部に係合する係合部が設けられているのが好ましい。
【０００８】
また、この照明器具において、上記情報は、光源ユニットの生産に関わる情報又は光源ユニットの性能に関わる情報の少なくとも一方であるのも好ましい。
【０００９】
また、この照明器具において、上記情報は、光源の累積点灯時間であるのも好ましい。
【発明の効果】
【００１０】
光源及び点灯装置がともに光源ユニットに設けられているので、外部機器により取得される光源ユニットに関わる情報を光源の累積点灯時間とした場合には、光源の累積点灯時間が交換時期に達したことを使用者に知らせるだけで使用者による光源ユニットの交換が可能であり、光源及び点灯装置を容易に交換することができるという効果がある。
【図面の簡単な説明】
【００１１】
【図１】本実施形態の照明器具の概略ブロック図である。
【図２】同上の照明器具の一例を示し、（ａ）は光源ユニットを本体ブロックに取り付ける前の断面図、（ｂ）は光源ユニットを本体ブロックに取り付けた後の断面図である。
【図３】同上の別の照明器具の分解斜視図である。
【図４】（ａ）〜（ｅ）は同上の別の照明器具の施工手順を説明する説明図である。
【発明を実施するための形態】
【００１２】
以下に、照明器具の実施形態について図１〜図４を参照して説明する。本実施形態の照明器具Ａは、図２（ｂ）に示すように、吊ボルト１０１及びナット１０２を用いて天井材１００（造営材）に取り付けられ、室内を照明するために用いられる。なお、以下の説明では断りがない限り、図２（ａ）に示す向きにおいて上下方向を規定し、以下の説明を行う。
【００１３】
本実施形態の照明器具Ａは、図２（ａ）及び図２（ｂ）に示すように、天井材１００に取り付けられる本体ブロック１と、本体ブロック１に対して着脱自在に取り付けられる光源ユニット２とを備える。
【００１４】
本体ブロック１は、図１及び図２に示すように、端子部１１と、通信部１２と、器具本体１３と、ソケット１４とを具備する。
【００１５】
端子部１１は、商用電源３からの給電線（図示せず）が接続されるとともに、通信部１２及びソケット１４との間がそれぞれ給電線（図示せず）により接続され、商用電源３から出力される電力を通信部１２及びソケット１４へ供給する。
【００１６】
通信部１２は、後述する光源ユニット２の出力部２４から出力される所定の情報を受け取り、受け取った情報を外部機器（図示せず）に対して無線信号により送信する。また通信部１２は、電線Ｌ１を介して電気的に接続されたコネクタ１２１を有しており、電線Ｌ２を介して出力部２４に電気的に接続されたコネクタ２４１をコネクタ１２１に接続することで、出力部２４との間が電気的に接続される。
【００１７】
器具本体１３は、図２（ａ）及び図２（ｂ）に示すように、下面が開口する矩形箱状に形成され、底面（図２（ａ）中の上面）に設けられた挿通孔（図示せず）に挿通させた吊ボルト１０１にナット１０２をねじ込むことで天井材１００に取り付けられる。また、器具本体１３の底面には、端子部１１、通信部１２及びソケット１４が取り付けられている。
【００１８】
ソケット１４は、図２（ａ）に示すように、円筒状に形成されたソケット本体１４１を有し、ソケット本体１４１の内周面にはねじ部１４２が設けられている。また、ソケット本体１４１の底部には、上記給電線に電気的に接続された接点部（図示せず）が設けられている。
【００１９】
光源ユニット２は、図１及び図２に示すように、光源２１と、点灯装置２２と、記憶部２３と、出力部２４と、制御部２５と、ユニット本体２６と、口金２７とを具備する。
【００２０】
光源２１は、例えば発光ダイオード（ＬＥＤ）からなり、点灯装置２２から供給される電力に応じた調光レベルで点灯する。
【００２１】
点灯装置２２は、制御部２５から電力が供給されるとともに、光源２１の調光レベルを設定する調光信号が入力され、この調光レベルに応じた矩形波電流を生成し、生成した矩形波電流を光源２１へ出力する。
【００２２】
記憶部２３は、不揮発性のメモリ（例えばＥＥＰＲＯＭなど）からなり、光源ユニット２に関わる情報を少なくとも含む情報を記憶する。ここに、光源ユニット２に関わる情報には、光源ユニット２の生産に関わる情報や光源ユニット２の性能に関わる情報、光源２１の累積点灯時間などがある。また、光源ユニット２の生産に関わる情報としては、例えば製造会社を特定する情報、生産時期情報（ロット情報）、製造設備を特定する情報、検査結果情報などがある。また、光源ユニット２の性能に関わる情報としては、例えば品番情報、電気特性情報、エネルギー消費効率などの情報がある。
【００２３】
出力部２４は、電線Ｌ２を介して電気的に接続されたコネクタ２４１を有しており、コネクタ２４１を本体ブロック１の通信部１２のコネクタ１２１に接続することで、通信部１２との間が電気的に接続される。この出力部２４は、制御部２５からの制御信号に従って記憶部２３から上記情報を読み出し、読み出した上記情報を本体ブロック１の通信部１２へ出力する。
【００２４】
制御部２５は、点灯装置２２に対して電力を供給するとともに、光源２１の調光レベルを設定する調光信号を出力し、また出力部２４に対して制御信号を出力する。
【００２５】
ユニット本体２６は、図２（ａ）及び図２（ｂ）に示すように、下面が開口する椀状に形成され、上述した光源２１、点灯装置２２、記憶部２３、出力部２４及び制御部２５が内部に収納されている。また、ユニット本体２６の上部には、口金２７が設けられている。
【００２６】
口金２７は、中空円柱状に形成された口金本体２７１を有し、口金本体２７１の外周面にはねじ部２７２が設けられている。また、口金本体２７１の先端部には、制御部２５に電気的に接続された接点部２７３が設けられている。
【００２７】
ここにおいて、光源ユニット２を本体ブロック１に取り付ける際には、口金２７のねじ部２７２をソケット１４のねじ部１４２にねじ込むことでソケット１４と口金２７とが係合し、光源ユニット２が本体ブロック１に取り付けられる（図２（ｂ）参照）。また、この状態では、口金２７の接点部２７３がソケット１４の接点部（図示せず）に接触することで端子部１１と制御部２５とが電気的に接続され、端子部１１を介してソケット１４に供給された電力が制御部２５に供給される。ここに本実施形態では、ソケット１４により被係合部が構成され、口金２７により係合部が構成されている。
【００２８】
次に、照明器具Ａの施工手順について説明する。なお以下の説明では、本体ブロック１及び光源ユニット２がそれぞれ組み立てられているものとして説明を行う。まず最初に、作業者は、天井材１００より露出する吊ボルト１０１を器具本体１３の底面に設けた挿通孔（図示せず）に挿通させ、さらに吊ボルト１０１にナット１０２をねじ込んで器具本体１３を天井材１００に固定する。そして、作業者は、コネクタ１２１，２４１を接続した後、光源ユニット２の口金２７を本体ブロック１のソケット１４にねじ込んで光源ユニット２を本体ブロック１に機械的且つ電気的に接続する。以上の手順により、照明器具Ａの施工が完了する。
【００２９】
続けて、照明器具Ａの動作について説明する。商用電源３より端子部１１を介して通信部１２及び制御部２５に電力が供給されると、制御部２５は、点灯装置２２に対して電力を供給するとともに、光源２１の調光レベルを設定する調光信号を出力する。また制御部２５は、内蔵されたタイマ（図示せず）を利用して光源２１の点灯時間の計時を開始し、計時した点灯時間を所定のタイミングで記憶部２３に記憶させる。一方、点灯装置２２は、制御部２５から入力された調光信号に含まれる調光レベルに応じた矩形波電流を生成し、生成した矩形波電流を光源２１へ出力する。そして、光源２１は、点灯装置２２から供給される矩形波電流により上記調光レベルで点灯する。
【００３０】
ここで、記憶部２３に記憶させた光源２１の点灯時間の累積値（以下、累積点灯時間という。）が所定時間（例えば点灯装置２２の寿命時間よりも短い時間）に達すると、制御部２５は、点灯装置２２の寿命が近づいていると判断し、上記累積点灯時間を出力部２４から通信部１２へ出力させる。そして、通信部１２は、上記累積点灯時間を含む無線信号を作成し、作成した無線信号をネットワーク（図示せず）を介してメンテナンス業者の携帯端末（外部機器）へ送信する。無線信号を受信した携帯端末は、メンテナンス対象である家の家人の端末（例えば携帯電話やパソコンなど）に、点灯装置２２の寿命が近い旨及び光源ユニット２の交換が必要である旨を含むメールを送信し、上記メールを受け取った家人が自ら光源ユニット２を交換する。
【００３１】
この照明器具Ａによれば、照明器具Ａの寿命に大きく影響を与える光源２１及び点灯装置２２がともに光源ユニット２に設けられているため、光源２１又は点灯装置２２の寿命が近づいた場合でも電気工事の資格を持たない使用者（家人）が交換工事を行うことができ、また光源ユニット２を取り替えるだけでいいことから、交換時の作業量を低減することができる。
【００３２】
図３は本実施形態の別の照明器具Ａの分解斜視図である。図２に示した照明器具Ａでは、本体ブロック１に設けたソケット１４を被係合部、光源ユニット２に設けた口金２７を係合部としたが、本例では、本体ブロック１に設けた引掛けシーリング１５を被係合部、光源ユニット２が取り付けられる取付アダプタ２８を係合部としている。なお、以下の説明において図２と同様の構成要素については、同一の符号を付して説明を省略する。
【００３３】
本例の照明器具Ａは、図１及び図３に示すように、本体ブロック１と、光源ユニット２とを備え、さらに本体ブロック１は、端子部１１と、通信部１２と、器具本体１３と、引掛シーリング１５（被係合部）とを具備する。また、光源ユニット２は、光源２１と、点灯装置２２と、記憶部２３と、出力部２４と、制御部２５と、ユニット本体２６と、取付アダプタ２８（係合部）とを具備する。
【００３４】
引掛シーリング１５は、例えば合成樹脂により厚みの薄い扁平な円筒状に形成され、引掛シーリング１５の下面には、円弧状に開口する一対の引掛栓刃挿入口１５１が向かい合うようにして設けられている。また、引掛シーリング１５の内部には、各引掛栓刃挿入口１５１を臨むようにして一対の引掛栓刃受部（図示せず）が収納されており、各引掛栓刃受部は、それぞれ端子部１１との間が給電線（図示せず）により電気的に接続されている。
【００３５】
取付アダプタ２８は、引掛シーリング１５と同様に、例えば合成樹脂により厚みの薄い扁平な円筒状に形成され、取付アダプタ２８の上面には、一対の引掛栓刃２８１（図３では片側のみ図示）が向かい合うようにして設けられている。また、取付アダプタ２８の側面には、ユニット本体２６に設けられた開口部２６１（図４（ｃ）参照）の開口端縁に係止する一対の係止部２８２が設けられている。さらに、取付アダプタ２８の側面には、引掛シーリング１５と取付アダプタ２８の係合を解除するための解除釦２８４が設けられている。また、取付アダプタ２８の下面には、各係止部２８２とユニット本体２６の係合を解除するための一対の解除レバー２８３が設けられており、さらに両解除レバー２８３，２８３間には、光源ユニット２のコネクタ２５１が接続される接続部２８５が設けられている。ここに、コネクタ２５１は、電線Ｌ３を介して制御部２５に電気的に接続されており、コネクタ２５１を接続部２８５に接続することで、商用電源３からの電力が制御部２５に供給される。
【００３６】
次に、本例の照明器具Ａの施工手順について図４を参照して説明する。まず最初に、作業者は、図４（ａ）に示すように、取付アダプタ２８を上方（図４（ａ）中の矢印ａ方向）に移動させて引掛シーリング１５に近づけていき、各引掛栓刃２８１をそれぞれ対応する引掛栓刃挿入口１５１に挿入する。次に、作業者は、取付アダプタ２８を時計回り（図４（ａ）中の矢印ｂ方向）に回転させ、各引掛栓刃２８１をそれぞれ対応する引掛栓刃受部（図示せず）に電気的且つ機械的に接続する。これにより、取付アダプタ２８が引掛シーリング１５に取り付けられる。
【００３７】
続けて、作業者は、図４（ｂ）に示すように、ユニット本体２６を上方に移動させて取付アダプタ２８に近づけていき、ユニット本体２６の開口部２６１の開口端縁に各係止部２８２をそれぞれ係止させて、ユニット本体２６を取付アダプタ２８に取り付ける。次に、作業者は、図４（ｃ）に示すように、光源ユニット２のコネクタ２５１を取付アダプタ２８の接続部２８５に接続し、さらに本体ブロック１のコネクタ１２１と光源ユニット２のコネクタ２４１を接続する。そして最後に、作業者は、ユニット本体２６の下面開口を閉塞するようにして、透光性のカバー２９（図３参照）をユニット本体２６に取り付ける。以上の手順により、照明器具Ａの施工が完了する。
【００３８】
次に、照明器具Ａを取り外す手順について説明する。まず最初に、作業者は、ユニット本体２６からカバー２９を取り外した後、取付アダプタ２８の接続部２８５からコネクタ２５１を取り外すとともに、コネクタ１２１からコネクタ２４１を取り外す。その後、作業者は、図４（ｄ）に示すように、解除レバー２８３，２８３を外側（互いに離れる方向、図４（ｄ）中の矢印ｃ方向）に移動させる。これにより、各解除レバー２８３にそれぞれ対応する係止部２８２が内側（互いに近づく方向、図４（ｄ）中の矢印ｃ方向と反対方向）に移動し、ユニット本体２６の開口部２６１の開口端縁との係合が解除される。そして、作業者は、解除釦２８４を押したまま取付アダプタ２８を反時計回り（図４（ｅ）中の矢印ｄ方向）に回転させる。これにより、各引掛栓刃２８１と対応する引掛栓刃受部の係合が解除され、さらに取付アダプタ２８を下側に引っ張ることで、取付アダプタ２８が引掛シーリング１５から取り外される。以上の手順により、照明器具Ａが取り外される。
【００３９】
而して本実施形態によれば、光源２１及び点灯装置２２がともに光源ユニット２に設けられているので、光源２１の累積点灯時間が交換時期に達したことを使用者（家人）に知らせるだけで使用者による光源ユニット２の交換が可能であり、光源２１及び点灯装置２２を容易に交換することができる。また、光源ユニット２を本体ブロック１に取り付ける際には、光源ユニット２に設けられた係合部を本体ブロック１に設けられた被係合部に係合させるだけでよく、電気工事の資格を持たない家人による作業が可能であるため、メンテナンス業者を呼ばなくてもよく、効率的に交換作業が行える。
【００４０】
さらに、光源ユニット２の生産に関わる情報や光源ユニット２の性能に関わる情報を外部機器により取得することができ、例えば顧客から光源ユニット２の生産や性能に関わる要求があった場合でも、外部機器により取得した情報から速やかに回答することができる。また、光源２１の累積点灯時間を記憶部２３に記憶させた場合には、寿命を迎える前に取り外された光源ユニット２にはそれまでの累積点灯時間が記憶されており、この光源ユニット２を再販売するときの有効な情報とすることができる。
【００４１】
なお本実施形態では、メンテナンス業者が所持する携帯端末を外部機器としたが、例えばメンテナンス会社の所有するサーバであってもよく、この場合にはサーバから家人の端末にメールを送信するように構成すればよい。また本実施形態では、通信部１２と外部機器との間の通信方式を無線方式としたが、有線方式であってもよい。
【符号の説明】
【００４２】
１  本体ブロック
２  光源ユニット
３  商用電源
１１  端子部
１２  通信部
１３  器具本体
２１  光源
２２  点灯装置
２３  記憶部
２４  出力部
１００  天井材（造営材）
Ａ  照明器具
【図１】
2014120391.tif 000003
【図２】
2014120391.tif 000004
【図３】
2014120391.tif 000005
【図４】
2014120391.tif 000006